(57)【要約】【課題】発光素子、受光素子、および光学素子をパッケージに実装する際、パッケージの大型化やコストアップを招来させることなく、素子の追加などの仕様の変更を行うことのできる光学モジュールを提供すること。【解決手段】光ヘッド装置１では、第１の発光素子４、第２の発光素子５、信号検出用受光素子２、モニター用受光素子３、信号検出用全反射ミラー１８、モニター用全反射ミラー１９などを光学モジュール３０としてモジュール化してある。ここで、モニター用受光素子３、および信号検出用全反射ミラー１８については第１のパッケージ３０Ａに実装し、信号検出用受光素子２、およびモニター用全反射ミラー１９については第２のパッケージ３０Ｂに実装する。【選択図】      図４
2004335831.tif 000002
【特許請求の範囲】
【請求項１】
レーザ光を出射する複数の発光素子、レーザ光を受光する複数の受光素子、およびその他の複数の光学素子がモジュール化された光学モジュールにおいて、
前記複数の発光素子、および前記複数の受光素子のうちの少なくとも一方は、形状が異なる２つ以上のパッケージに各々、分離して実装され、
前記２つ以上のパッケージは、各々所定の光学素子を実装した状態で一体化されていることを特徴とする光学モジュール。
【請求項２】
請求項１において、前記複数の発光素子、および前記複数の受光素子のうち、受光素子の方のみが、前記２つ以上のパッケージに各々、分離して実装されていることを特徴とする光学モジュール。
【請求項３】
請求項１において、前記複数の発光素子、および前記複数の受光素子のうちの双方が、前記２つ以上のパッケージに各々、分離して実装されていることを特徴とする光学モジュール。
【請求項４】
請求項２または３において、前記２つ以上のパッケージには、前記その他の光学素子として、他のパッケージに実装された受光素子に光を導く偏向素子が実装されていることを特徴とする光学モジュール。
【請求項５】
請求項１ないし４のいずれかにおいて、前記複数の発光素子、前記複数の受光素子、および前記その他の複数の光学素子は、いずれも前記パッケージの垂直面、水平面、あるいは傾斜面によって構成された複数の位置決め部に位置決め固定されていることを特徴とする光学モジュール。
【請求項６】
請求項１ないし５のいずれかにおいて、前記その他の複数の光学素子には、光学モジュールから出射されるレーザ光をコリメート光とするためのコリメートレンズが含まれていることを特徴とする光学モジュール。
【請求項７】
請求項１ないし６のいずれかに規定する光学モジュールを備えた光ヘッド装置であって、少なくとも、前記光学モジュール、該光学モジュールから出射されたレーザ光を光記録媒体に収束させる対物レンズ、および該対物レンズを駆動するアクチュエータが共通のベース上に搭載されていることを特徴とする光ヘッド装置。
【請求項８】
請求項７において、前記複数の発光素子には、波長の異なるレーザ光を出射する２種類の発光素子が含まれ、
前記複数の受光素子には、前記光記録媒体からの戻り光を受光する信号検出用受光素子と、前記発光素子の各々から出射された光をモニターするモニター用受光素子とが含まれていることを特徴とする光ヘッド装置。
【請求項９】
請求項７または８において、前記複数の発光素子には、前記光記録媒体に対する記録を行うレーザ光を出射可能な発光素子が含まれていることを特徴とする光ヘッド装置。
【発明の詳細な説明】
【０００１】
【発明の属する技術分野】
本発明は、ＣＤ（コンパクトディスク）やＤＶＤ（デジタルバーサタイルディスク）などの光記録媒体の記録、再生などに用いられる光学モジュール、および光ヘッド装置に関するものである。
【０００２】
【従来の技術】
ＣＤあるいはＤＶＤ等の光記録媒体の記録、再生に用いられる光ヘッド装置では、異なる波長のレーザ光を出射する２つの発光素子と、これら２つの発光素子から出射されたレーザ光が光記録媒体で反射してくる戻り光を受光する共通の信号検出用受光素子と、２つの発光素子から信号検出用受光素子に到る光路を規定する各種の光学素子と、これらの光学素子によって導かれた光を光記録媒体上に収束させるための対物レンズと、対物レンズを駆動するレンズ駆動機構とをベース上に有している。また、光ヘッド装置では、２つの発光素子から出射されたレーザ光の光量をモニターするためのモニター用受光素子が用いられ、このモニター用受光素子での受光結果に基づいて、２つの発光素子から出射されるレーザ光の光量を制御するようになっている。このため、２つの発光素子からモニター用受光素子に到る光路を規定する各種の光学素子もベース上に実装する必要がある。
【０００３】
このようにＣＤあるいはＤＶＤ等の光記録媒体の記録、再生に用いられる光ヘッド装置では、２つの発光素子、２つの受光素子、その他の光学素子など、多くの光学素子をベース上に実装する必要があるため、光学素子を各々、ベースに実装したのでは、その位置合わせなどに多大な手間がかかる。
【０００４】
そこで、発光素子や発光素子をその他の光学素子とともにモジュール化することが考えられ、２つの発光素子をその他の光学素子とともに第１のパッケージに実装する一方、２つの受光素子を第２のパッケージに実装し、これらの２つのパッケージを一体化した、再生専用光ヘッド装置用の光学モジュールが提案されている（例えば、特許文献１参照）。
【０００５】
【特許文献１】
特開２００１−１８９０２７号公報（第２、３頁、図１および図２）
【０００６】
【発明が解決しようとする課題】
しかしながら、従来の光学モジュールは、同一のパッケージに同種の光学素子が複数、実装されているので、例えば、受光素子に対する配線密度を高める場合や受光素子を増やす場合には、配線ピッチが極めて狭くなる。このため、リードフレームとして微細加工を施した高価なものを使うか、パッケージを大きくせざるを得ないという問題点がある。このような問題は、発光素子を増やす場合でも同様である。
【０００７】
以上の問題点に鑑みて、本発明の課題は、複数の発光素子、複数の受光素子、および複数の光学素子を複数のパッケージに実装する際、パッケージの大型化やコストアップを招来させることなく、素子の追加などの仕様の変更を行うことのできる光学モジュールを提供することにある。
【０００８】
【課題を解決するための手段】
上記課題を解決するために、本発明では、レーザ光を出射する複数の発光素子、レーザ光を受光する複数の受光素子、およびその他の複数の光学素子がモジュール化された光学モジュールにおいて、前記複数の発光素子、および前記複数の受光素子のうちの少なくとも一方は、形状が各々、異なる２つ以上のパッケージに各々、分離して実装され、前記２つ以上のパッケージは、各々所定の光学素子を実装した状態で一体化されていることを特徴とする。
【０００９】
本発明では、複数の光学素子が光学モジュールとしてモジュール化されているため、個々の光学素子をベース上に搭載する必要がない。また、本発明では、発光素子や受光素子など、給電などを必要とする複数の光学素子を複数のパッケージに分割して実装しているため、一つのパッケージにリード端子が集中しない。しかも本発明では、複数の発光素子、あるいは複数の受光素子など、同種の光学素子を異なるパッケージに実装しているので、例えば、受光素子の配線密度を高める場合や受光素子を増やす場合でも、そのような仕様変更の影響が一方のパッケージに集中することがない。それ故、パッケージの大型化やコストアップを招来させることなく、素子の追加などの仕様の変更を行うことができる。
【００１０】
本発明においては、例えば、前記複数の発光素子、および前記複数の受光素子のうちの一方のみが、前記２つ以上のパッケージに各々、分離して実装されている構成、前記複数の発光素子、および前記複数の受光素子のうちの双方が、前記２つ以上のパッケージに各々、分離して実装されている構成を採用することができる。これらの構成のうち、特に受光素子の方については、前記２つ以上のパッケージに各々、分離して実装されていることが好ましい。発光素子に比較して受光素子の方が端子が多いので、配線密度のアップや素子数の増大などの仕様変更への対応が困難であるが、発光素子の方を別々のパッケージに実装した場合には、このような仕様変更に容易に対応できる。また、このように構成した場合、前記２つ以上のパッケージには、前記その他の光学素子として、他のパッケージに実装された受光素子に光を導く偏向素子が実装されていることが好ましい。
【００１１】
本発明において、前記複数の発光素子、前記複数の受光素子、および前記その他の複数の光学素子は、いずれも前記パッケージの垂直面、水平面、あるいは傾斜面によって構成された複数の位置決め部に位置決め固定されていることが好ましい。このように構成すると、パッケージに光学素子を実装する際、一つのパッケージ内では、光学素子同士を高い精度で位置合わせすることができるので、光学素子を実装済みのパッケージ同士を位置合わせすればよい。
【００１２】
本発明において、前記その他の複数の光学素子には、光学モジュールから出射されるレーザ光をコリメート光とするためのコリメートレンズが含まれていることが好ましい。コリメートレンズもモジュール化すると、各種仕様の光ヘッド装置で共通の光学素子を全てモジュール化することができる。
【００１３】
本発明を適用した光学モジュールを備えた光ヘッド装置では、少なくとも、前記光学モジュール、該光学モジュールから出射されたレーザ光を光記録媒体に収束させる対物レンズ、および該対物レンズを駆動するアクチュエータが共通のベース上に搭載される。
【００１４】
本発明において、前記複数の発光素子には、波長の異なるレーザ光を出射する２種類の発光素子が含まれ、前記複数の受光素子には、前記光記録媒体からの戻り光を受光する信号検出用受光素子と、前記発光素子から出射された光をモニターするモニター用受光素子とが含まれている。このように構成すると、発光素子の前方出射光で出射光量をモニターできるので、モニター精度が高いため、光記録媒体に対する記録を行うタイプ光ヘッド装置に適している。
【００１５】
本発明において、前記複数の発光素子には、前記光記録媒体に対する記録を行うレーザ光を出射可能な発光素子が含まれている。
【００１６】
【発明の実施の形態】
以下に、図面を参照して本発明を適用した光ヘッド装置の例を説明する。
【００１７】
［実施の形態１］
（全体構成）
図１（Ａ）、（Ｂ）、（Ｃ）はそれぞれ、本発明を適用した実施の形態１に係る光ヘッド装置の要部を示す分解斜視図、この光ヘッド装置の構成を模式的に示す縦断面図、および光ヘッド装置の光学系を示す概略構成図である。
【００１８】
図１（Ａ）、（Ｂ）、（Ｃ）において、本形態の光ヘッド装置１は、ＣＤあるいはＤＶＤなどの光記録媒体１００に対する情報記録、情報再生を行なうために、波長が６５０ｎｍのレーザ光と、波長が７８０ｎｍのレーザ光とを用いる２波長光ヘッド装置である。
【００１９】
本形態の光ヘッド装置１では、詳しくは後述するが、レーザダイオードなどの発光素子、フォトダイオードなどの受光素子、その他の光学素子を一体化した光学モジュール３が用いられ、この光学モジュール３は、フレキシブル基板３２１に実装された状態で金属製あるいは樹脂製のベース４５に搭載されている。
【００２０】
ベース４５の両端部には、丸穴からなる主軸ガイド穴４１と、コの字形状に突き出した副軸ガイド溝４２とが形成され、これらのガイド穴４１およびガイド溝４２の各々に通された記録再生装置本体側の主軸および副軸（図示せず）に沿って、光ヘッド装置１が全体として光記録媒体１００の半径方向に往復移動可能となっている。
【００２１】
ベース４５には、光学モジュール３から出射されるレーザ光を光記録媒体１００に導くとともに、光記録媒体１００からの戻り光を光学モジュール３に入射させるための各種のベース側光学部品５５が搭載されている。このようなベース側光学部品５５として、本形態では、光学モジュール３から出射されたレーザ光を平行光化するコリメートレンズ５１と、このコリメートレンズ５１で平行光化したレーザ光を光記録媒体１００に向けて立ち上げる立上げミラー５２と、この立上げミラー５２により反射したレーザ光を光記録媒体１００に収束させる対物レンズ５３を駆動するための対物レンズ駆動機構５４とが共通のベース４５に搭載されている。
【００２２】
対物レンズ駆動機構５４は、対物レンズ５３を保持しているレンズホルダ５４１と、このレンズホルダ５４１をトラッキング方向およびフォーカシング方向に移動可能に支持しているヨーク５４２とを備え、ヨーク５４２がベース４５に取付けられている。また、対物レンズ駆動機構５４は、レンズホルダ５４１に取付けられた駆動コイル（図示せず）と、ヨーク５４２に取付けられた駆動マグネット（図示せず）とにより構成される磁気駆動回路を備え、駆動コイルに対する通電を制御することにより、レンズホルダ５４１に保持された対物レンズ５３を光記録媒体１００に対してトラッキング方向およびフォーカシング方向に駆動することができる。
【００２３】
本形態の光ヘッド装置１に用いた光学モジュール３は、後述するように、リードフレームの形状、および樹脂成形形状が互いに異なる２つ以上のパッケージを一体化したものであり、パッケージ同士を接合して一体化した状態において、光学モジュール３は、エポキシ樹脂、液晶ポリマーなどの樹脂製の枠体３１から両側に、銅系金属の表面に金めっきが施された複数本のリード端子３２が突き出た構造になっている。ここで、リード端子３２は、インサート成形により、各パッケージの樹脂部分と一体に形成されたリードフレームからなる。なお、光学モジュール３は、リード端子３２がフレキシブル基板３２１に半田付けされた状態でベース４５に取付けられており、フレキシブル基板３２１には、外部給電用のコネクタ３２２が取付けられている。
【００２４】
（光ヘッド装置の光学系の説明）
図２は、図１の光ヘッド装置に搭載される光学系のレイアウトを示す説明図である。
【００２５】
本形態の光ヘッド装置１において、光学系は、波長７８０ｎｍ帯域（長波長）の第１のレーザ光を出射するレーザダイオードなどからなるＣＤ用の第１の発光素子４と、波長６５０ｎｍ帯域（短波長）の第２のレーザ光を出射するレーザダイオードなどからなるＤＶＤ用の第２の発光素子５とを備えている。第１の発光素子４、および第２の発光素子５は、リードフレームにＡｕＳｎ、Ｉｎ、ハンダなどの金属によりサブマウント基板を固着した後、サブマウント基板にダイオードチップを実装し、ワイヤボンディングされている。
【００２６】
また、光学系は、第１の発光素子４から出射された第１のレーザ光、および第２の発光素子５から出射された第２のレーザ光を、光路合成用光学素子であるプリズム６１、６２によって、光記録媒体１００に向かう共通光路に導くようになっており、この共通光路上には、λ／４板１１、コリメートレンズ５１、立ち上げミラー５２、対物レンズ５３がこの順に配置されている。これらの光学素子のうち、対物レンズ５３は、レンズ駆動装置によってトラッキング方向、およびフォーカシング方向に駆動される。
【００２７】
本形態の光ヘッド装置１において、第１の発光素子４とプリズム６１との間には、回折格子１４、２波長間での光学倍率を補正するリレーレンズ１５、およびλ／２板１６が配置されている。また、第２の発光素子５とプリズム６２との間には、回折格子１７が配置されている。
【００２８】
また、プリズム６２と信号検出用受光素子２との間には、非点収差発生素子としてのセンサーレンズ９、およびセンサーレンズ９から出射された戻り光を信号検出用受光素子２に導く信号検出用全反射ミラー１８が配置されている。このセンサレンズ９は、レーザ光の戻り光に対して非点収差を発生させるためのレンズである。
【００２９】
さらに、プリズム６１に対して第１の発光素子４と反対側には、第１の発光素子４および第２の発光素子５からプリズム６１、６２を介して対物レンズ５３に向けて出射される光の一部がプリズム６１を介して導かれるモニター用全反射ミラー１９と、このモニター用全反射ミラー１９によって導かれてた光を受光するモニター用受光素子３とを有している。
【００３０】
このように構成した光ヘッド装置１において、第１の発光素子４から出射された第１のレーザ光は、一部がプリズム６１の部分反射面によって反射され、その光軸が９０度折り曲げられてコリメートレンズ５１を介して対物レンズ５３に向けて出射される。また、第２の発光素子５から出射された第２のレーザ光は、一部がプリズム６１、６２の部分反射面を透過して、コリメートレンズ５１を介して対物レンズ５３に向けて出射される。
【００３１】
その際、第１の発光素子４から出射された第１のレーザ光の一部、および第２の発光素子５から出射された第２のレーザ光の一部は、モニター光として、プリズム６１およびモニター用全反射ミラー８を介してモニター用受光素子３に導かれる。このモニター用受光素子３でのモニター結果は、第１の発光素子４、および第２の発光素子５にフィードバックされ、各々から出射されるレーザ光の強度が制御される。
【００３２】
また、光記録媒体１００からの戻り光は、対物レンズ５３、コリメートレンズ５１、およびプリズム６１、６２を介してセンサーレンズ９に向けて出射され、このセンサーレンズ９によって非点収差が付与された後、信号検出用全反射ミラー１８によって信号検出用受光素子２に導かれ、信号検出用受光素子２で検出される。
【００３３】
（光学モジュールの構成）
図３は、図１に示す光ヘッド装置に用いた光学モジュールの斜視図である。図４（Ａ）、（Ｂ）はそれぞれ、図３に示す光学モジュールを構成する第１のパッケージ、および第２のパッケージの説明図である。図５（Ａ）、（Ｂ）はそれぞれ、図４に示す第１のパッケージ、および第２のパッケージに光学素子を実装する前の様子を示す説明図である。なお、図３（Ｂ）および図４（Ｂ）において、第２のパッケージは表裏ひっくり返した状態で示してある。
【００３４】
本形態の光ヘッド装置１を構成するにあたって、本形態では、コリメートレンズ５１、立上げミラー５２、対物レンズ５３、および対物レンズ駆動機構５４についてはベース側光学部品５５として搭載するが、第１の発光素子４、第２の発光素子５、信号検出用受光素子２、モニター用受光素子３、信号検出用全反射ミラー１８、モニター用全反射ミラー１９、プリズム６１、６２、λ／４板１１、回折格子１４、リレーレンズ１５、λ／２板１６、回折格子１７、センサーレンズ９については、図３に示す光学モジュール３０内に実装されている。
【００３５】
図３に示す光学モジュール３０は、図４（Ａ）に示す第１のパッケージ３０Ａと、図４（Ｂ）に示す第２のパッケージ３０Ｂとを重ねて接合したもので、第１のパッケージ３０Ａと第２のパッケージ３０Ｂとは、リード端子３２Ａ、３２Ｂを構成するリードフレーム形状が相違している。すなわち、リード端子３２Ａ、３２Ｂは、数が相違するとともに、リード端子３２Ａは、水平に延びた後、長く上向きに屈曲している一方、リード端子３２Ｂは、水平に延びた後、短く上向きに屈曲している。このため、第１のパッケージ３０Ａと第２のパッケージ３０Ｂとを重ねた状態において、リード端子３２Ａ、３２Ｂは、光学モジュール３０の側面で整列することになる。
【００３６】
また、第１のパッケージ３０Ａと第２のパッケージ３０Ｂとは、枠体３１Ａ、３１Ｂを構成する樹脂成形形状も相違しており、第２のパッケージ３０Ｂには、第２のパッケージ３０Ｂを第１のパッケージ３０Ａに被せた状態で、第１のパッケージ３０Ａに実装される第１の発光素子４周辺を露出可能とする切り欠きが形成されている。なお、枠体３１Ａ、３１Ｂを構成する樹脂部分は、接着強度の向上、および迷光対策のために所定の表面粗さをもって成形されている。
【００３７】
また、第１のパッケージ３０Ａと第２のパッケージ３０Ｂとは、各々に実装される光学素子も相違する。すなわち、本形態では、上記の光学素子のうち、第１の発光素子４、第２の発光素子５、モニター用受光素子３、信号検出用全反射ミラー１８、プリズム６１、６２、λ／４板１１、回折格子１４、リレーレンズ１５、λ／２板１６、回折格子１７、およびセンサーレンズ９については、第１のパッケージ３０Ａに実装されている一方、信号検出用受光素子２、およびモニター用全反射ミラー１９については第２のパッケージ３０Ｂに実装されている。なお、第２のパッケージ３０Ｂには、セラミックコンデンサなどの電子部品も実装されている。また、光学モジュール３０のレーザ光の出射窓にはカバーガラス７が取り付けられている。
【００３８】
このような構成の光学モジュール３０を製造するにあたっては、所定形状のリードフレームをエポキシ樹脂、液晶ポリマーなどの樹脂でインサート成形して、図５（Ａ）、（Ｂ）に示す第１のパッケージ３０Ａ、および第２のパッケージ３０Ｂを製造する。
【００３９】
その際、第１のパッケージ３０Ａには、リードフレームや樹脂部分の垂直面、水平面、あるいは傾斜面によって、第１の発光素子４の位置決め面４０、第２の発光素子５の位置決め面５０、モニター用受光素子３の位置決め面３０、信号検出用全反射ミラー１８の位置決め面１８０、プリズム６１、６２の位置決め面６０、回折格子１４の位置決め面１４０、リレーレンズ１５の位置決め面１５０、回折格子１７の位置決め面１７０、およびセンサーレンズ９の位置決め面９０を形成しておく。なお、λ／４板１１、λ／２板１６、プリズム６１、６２については、互いに接合して複合部品として一体化してから第１のパッケージ３０Ａに実装するので、位置決め面６０は、この複合部品全体の位置決めを行うことになる。
【００４０】
これに対して、第２のパッケージ３０Ｂには、リードフレームや樹脂部分の垂直面、水平面、あるいは傾斜面によって、信号検出用受光素子２の位置決め面２０、およびモニター用全反射ミラー１９の位置決め面１９０を形成しておく。
【００４１】
（光ヘッド装置１の製造方法）
図６は、本発明を適用した光ヘッド装置の製造方法を示す工程図である。
【００４２】
図６において、第１のパッケージ３０Ａ、および第２のパッケージ３０Ｂを製造した後は、まず、第１のパッケージ３０Ａの位置決め面３０にモニター用受光素子３を位置決めした状態で、モニター用受光素子３を導電性樹脂でリードフレームに固着した後、ワイヤボンディングを行う（ステップＳＴ１１）。次に、位置決め面６０を利用してプリズム６１、６２などの複合部品をＵＶ硬化型接着剤で固定する（ステップＳＴ１２）。次に、位置決め面１５０、９０を利用してリレーレンズ１５およびセンサーレンズ９をＵＶ硬化型接着剤で固定した後（ステップＳＴ１３）、位置決め面１４０、１７０を利用して回折格子１４、１７を仮固定する（ステップＳＴ１４）。次に、位置決め面１８０を利用して信号検出用全反射ミラー１８をＵＶ硬化型接着剤で固定した後（ステップＳＴ１５）、位置決め面５０を利用して第２の発光素子５を実装する（ステップＳＴ１６）。
【００４３】
一方、第２のパッケージ３０Ｂに対しては、位置決め面５０に信号検出用受光素子５を位置決めした状態で、信号検出用受光素子５を導電性樹脂でリードフレームに固着した後、ワイヤボンディングを行い（ステップＳＴ２１）、次に、コンデンサを固定し（ステップＳＴ２２）、次に、位置決め面１９０を利用してモニター用全反射ミラー１９をＵＶ硬化型接着剤で固定する（ステップＳＴ２３）。
【００４４】
次に、第２のパッケージ３０Ｂを第１のパッケージ３０Ａに対して３軸方向で位置調整を行って、レーザ光の往路と復路とを一致させた後、第２のパッケージ３０Ｂを第１のパッケージ３０Ａに接着固定する（ステップＳＴ３１）。次に、第１のパッケージ３０Ａにおいて、第２のパッケージ３０Ｂから露出している位置決め面４０を利用して第１の発光素子４を実装する（ステップＳＴ３２）。次に、位置決め面１４０、１７０に仮固定されている回折格子１４、１７を角度調整した後、接着固定する（ステップＳＴ３３）。次に、カバーガラスを接着固定すれば（ステップＳＴ３４）、光学モジュール３０が完成する。
【００４５】
そして、光学モジュール３０を用いて光ヘッド装置１を組み立てる際には、まず、ベース４５に対して、コリメートレンズ５１を接着固定した後（ステップＳＴ４１）、立ち上げミラー５２を接着固定し（ステップＳＴ４２）、次に、レンズ駆動装置５５を搭載する（ステップＳＴ４３）。
【００４６】
次に、ベース４５に対して光学モジュール３０を配置した後（ステップＳＴ５１）、光学特性を評価し（ステップＳＴ５２）、次に、レンズ駆動装置５５の傾角を調整する（ステップＳＴ５３）。次に、対物レンズ５３の焦点位置や光記録媒体１００のトラック位置に対応するように、光学モジュール３０の位置を調整し、しかる後に、接着固定する（ステップＳＴ５４）。これにより、光ヘッド装置１が完成する。
【００４７】
（本形態の主な効果）
以上、説明したように、本形態では、各光学素子を光学モジュール３０としてモジュール化しているため、個々の光学素子を光ヘッド装置１のベース４５上に実装する必要がない。それ故、光ヘッド装置１の小型化および低コスト化を図ることができる。
【００４８】
また、発光素子４、５や受光素子２、３など、給電などを必要とする複数の光学素子を複数のパッケージに分割して実装しているため、一つのパッケージにリード端子３２が集中しない。
【００４９】
しかも本形態では、２つの受光素子２、３を異なるパッケージ３０Ａ、３０Ｂに分離して実装しているので、受光素子２、３の配線密度を高める場合や受光素子の数を増やす場合でも、そのような仕様変更の影響が一方のパッケージに集中することがない。それ故、パッケージの大型化やコストアップを招来させることなく、素子の追加などの仕様の変更を行うことができる。
【００５０】
さらに、パッケージ３０Ａ、３０Ｂには、その他の光学素子として、他のパッケージに実装された受光素子に光を導く全反射ミラー１８、１９が実装されている。このため、パッケージ３０Ａ、３０Ｂの厚さ方向を光路として受光素子２、３にレーザ光を導くことができる。
【００５１】
また、本形態では、各種の光学素子をパッケージ３０Ａ、３０Ｂの垂直面、水平面、あるいは傾斜面によって構成された複数の位置決め面を利用して配置するので、一つのパッケージ内では、光学素子同士を高い精度で位置合わせすることができる。
【００５２】
［実施の形態２］
実施の形態１では、コリメートレンズ５１については、ベース側光学部品５５としてモジュール化の対象外としたが、カバーガラス７に代えて、コリメートレンズ５１を光学モジュール３０に追加してもよい。この場合、図６において、ステップＳＴ３４に代えて、ステップＳＴ６１において、コリメートレンズ５１をレーザ光の出射窓に接着固定すればよい。
【００５３】
［実施の形態３］
実施の形態１では、２つの受光素子２、３を２つのパッケージ３０Ａ、３０Ｂに分離して配置したが、２つの受光素子２、３をパッケージ３０Ａ、３０Ｂのうちの一方に実装し、２つの発光素子４、５の方を２つのパッケージ３０Ａ、３０Ｂに分離して配置してもよい。
【００５４】
［実施の形態４］
実施の形態１、３では、２つの受光素子２、３、および２つの発光素子４、５のうちの一方を２つのパッケージ３０Ａ、３０Ｂに分離して実装する例であったが、２つの受光素子２、３、および２つの発光素子４、５の双方を２つのパッケージ３０Ａ、３０Ｂに分離して実装してもよい。
【００５５】
［実施の形態５］
実施の形態１では、２つの受光素子２、３と、２つの発光素子４、５を、その他の光学素子とともに２つのパッケージ３０Ａ、３０Ｂに分離して実装したが、図７に示すように、リードフレーム形状、および樹脂成形形状が各々、異なる４つのパッケージ３０Ｃ、３０Ｄ、３０Ｅ、３０Ｆを準備し、これらの４つのパッケージ３０Ｃ、３０Ｄ、３０Ｅ、３０Ｆに対して、第１の発光素子４、第２の発光素子５、モニター用受光素子３、信号検出用受光素子（図示せず）を分離して配置してもよい。
【００５６】
この場合には、モニター用受光素子３を実装したパッケージ３０Ｅには、信号検出用受光素子に光を導く信号検出用全反射ミラー１８を実装し、さらに、プリズム６１、６２、λ／４板１１、リレーレンズ１５、λ／２板１６、センサーレンズ９も実装する。これに対して、信号検出用受光素子を実装したパッケージ３０Ｆには、モニタ用受光素子３に光を導くモニター用全反射ミラー（図示せず）を実装する。また、パッケージ３０Ｃには、第１の発光素子４とともに、回折格子１４を実装し、パッケージ３０Ｄには、第２の発光素子５とともに、回折格子１７を実装する。なお、このような構成の光学モジュールにおいても、パッケージ３０Ｃ、３０Ｄ、３０Ｅ、３０Ｆの垂直面、水平面、あるいは傾斜面によって、各光学素子に対する位置決め面を形成しておく。
【００５７】
【発明の効果】
以上説明したように、本発明では、ＣＤあるいはＤＶＤ等の複数の光記録媒体の記録、再生に用いられる光ヘッド装置では、複数の発光素子、複数の受光素子、その他の光学素子など、多くの光学素子をベース上に実装する必要があるが、本発明では、複数の光学素子が光学モジュールとしてモジュール化されているため、個々の光学素子をベース上に搭載する必要がない。また、本発明では、発光素子や受光素子など、給電などを必要とする複数の光学素子を複数のパッケージに分割して実装しているため、一つのパッケージにリード端子が集中しない。しかも本発明では、複数の発光素子、あるいは複数の受光素子など、同種の光学素子を異なるパッケージに実装しているので、例えば、受光素子の配線密度を高める場合や受光素子を増やす場合でも、そのような仕様変更の影響が一方のパッケージに集中することがない。それ故、パッケージの大型化やコストアップを招来させることなく、素子の追加などの仕様の変更を行うことができる。
【図面の簡単な説明】
【図１】（Ａ）、（Ｂ）、（Ｃ）はそれぞれ、本発明の実施の形態１に係る光ヘッド装置の要部を示す分解斜視図、この光ヘッド装置の構成を模式的に示す縦断面図、および光ヘッド装置の光学系を示す概略構成図である。
【図２】図１の光ヘッド装置に搭載される光学系のレイアウトを示す説明図である。
【図３】図１に示す光ヘッド装置に用いた光学モジュールの斜視図である。
【図４】（Ａ）、（Ｂ）はそれぞれ、図３に示す光学モジュールを構成する第１のパッケージ、および第２のパッケージの説明図である。
【図５】（Ａ）、（Ｂ）はそれぞれ、図４に示す第１のパッケージ、および第２のパッケージに光学素子を実装する前の様子を示す説明図である
【図６】本発明を適用した光ヘッド装置の製造方法を示す工程図である。
【図７】本発明を適用した別の光学モジュールを構成する複数のパッケージの説明図である。
【符号の説明】
１  光ヘッド装置
２  信号検出用受光素子
３  モニター用受光素子
４  第１の発光素子
５  第２の発光素子
１８  信号検出用全反射ミラー
１９  モニター用全反射ミラー
３０  光学モジュール
３０Ａ〜３０Ｆ  パッケージ
３１、３１Ａ、３１Ｂ  枠体
３２、３２Ａ、３２Ｂ  リード端子
４５  ベース
５１  コリメートレンズ
５２  立上げミラー
５３  対物レンズ
５４  対物レンズ駆動機構
１００  光記録媒体
【図１】
2004335831.tif 000003
【図２】
2004335831.tif 000004
【図３】
2004335831.tif 000005
【図４】
2004335831.tif 000006
【図５】
2004335831.tif 000007
【図６】
2004335831.tif 000008
【図７】
2004335831.tif 000009